【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
気相分子を隔離する方法であって、
それぞれが水性溶液の平面シートを含み、実質的に平行な面内に配置される、基本的に平面形状の複数の液体ジェットを形成する段階と、
気相分子を含むガスを供給する段階と、
前記気相分子と前記水性溶液との間の物質移動相互作用によって、少なくとも一部の前記気相分子を鉱化する段階と
を備える方法。
【請求項２】
前記気相分子は、二酸化炭素および石炭火力発電所からの燃焼排ガスの少なくとも一方を含む、
請求項１に記載の方法。
【請求項３】
前記水性溶液は、スラリーを含み、
前記スラリーは、アルカリ性物質を含む固形物、Ｃａ（ＯＨ）２、Ｍｇ（ＯＨ）２およびＣＯ２吸収の増進剤からなる群から選択される少なくとも１つを含む、
請求項１に記載の方法。
【請求項４】
前記水性溶液は、１〜２０質量％（ｗ／ｗ）濃度の範囲で固形物を含む、
請求項１に記載の方法。
【請求項５】
前記水性溶液は、腐食抑制剤及び消泡剤のうちの少なくとも１つをさらに含む、
請求項１に記載の方法。
【請求項６】
前記平面形状の複数の液体ジェットを形成する段階は、２〜２５ｐｓｉの範囲の液体プレナム圧で前記平面形状の複数の液体ジェットを形成する段階を含む、
請求項１に記載の方法。
【請求項７】
前記基本的に平面形状の複数の液体ジェットを形成する段階は、前記基本的に平面形状の複数の液体ジェットを気液接触器内で形成する段階を含み、
前記少なくとも一部の前記気相分子を鉱化する段階は、
前記気相分子と前記水性溶液との間の物質移動相互作用によって、少なくとも一部の前記気相分子を反応させて、反応組成物を形成する段階と、
少なくとも一部の前記反応組成物を鉱化して炭酸塩を形成する段階と
を含む、
請求項１に記載の方法。
【請求項８】
前記鉱化して炭酸塩を形成する段階は、前記反応組成物をアルカリ性物質と反応させて、炭酸塩を形成することを含む、
請求項７に記載の方法。
【請求項９】
前記アルカリ性物質は、ケイ酸塩または産業廃棄物アルカリ物質を含む、
請求項８に記載の方法。
【請求項１０】
前記水性溶液は、ピペラジン及び酸を含む、
請求項７に記載の方法。
【手続補正２】
【補正対象書類名】明細書
【補正対象項目名】０１１４
【補正方法】変更
【補正の内容】
【０１１４】
本発明の範囲及び精神の範囲内で、様々な変更及び改良が可能であることは、当業者にとって明らかである。本発明は、このような変更及び改良についても、添付の特許請求の範囲及びその均等物の範囲に含まれるものと仮定して包含することを意図している。
（項目１）
気相分子を隔離する方法であって、
それぞれが水性スラリー溶液の平面シートを含み、実質的に平行な面内に配置される、基本的に平面形状の複数の液体ジェットを形成する段階と、
気相分子を含むガスを供給する段階と、
上記気相分子と上記水性スラリー溶液との間の物質移動相互作用によって、少なくとも一部の上記気相分子を鉱化する段階と、
を備える方法。
（項目２）
上記気相分子は、二酸化炭素を含む項目１に記載の方法。
（項目３）
上記気相分子は、石炭火力発電所からの燃焼排ガスを含む項目１に記載の方法。
（項目４）
上記水性スラリー溶液は、固形物及び水を、水溶液中に含む項目１に記載の方法。
（項目５）
上記固形物は、アルカリ性物質を含む項目４に記載の方法。
（項目６）
上記アルカリ性物質は、ケイ酸塩を含む項目５に記載の方法。
（項目７）
上記ケイ酸塩は、ケイ酸カルシウム／ケイ酸マグネシウムを含む項目６に記載の方法。
（項目８）
上記ケイ酸カルシウム／ケイ酸マグネシウムは、かんらん石、珪灰石及び蛇紋石のうちの少なくとも１つを含む項目７に記載の方法。
（項目９）
上記アルカリ性物質は、産業廃棄物アルカリ物質を含む項目５に記載の方法。
（項目１０）
上記産業廃棄物アルカリ物質は、製鋼スラグ、セメント窯ダスト及びフライアッシュのうちの少なくとも１つを含む項目９に記載の方法。
（項目１１）
上記水性スラリー溶液は、Ｃａ（ＯＨ）２及びＭｇ（ＯＨ）２のうちの少なくとも１つを含む項目１に記載の方法。
（項目１２）
上記水性スラリー溶液は、約１〜２０質量％（ｗ／ｗ）濃度の範囲で固形物を含む項目１に記載の方法。
（項目１３）
上記水性スラリー溶液は、約５〜１０質量％（ｗ／ｗ）濃度の範囲でＣａ（ＯＨ）２を含む項目１に記載の方法。
（項目１４）
上記水性スラリー溶液は、ＣＯ２吸収の増進剤をさらに含む項目１に記載の方法。
（項目１５）
上記増進剤はアミンを含む項目１４に記載の方法。
（項目１６）
上記アミンは、モノエタノールアミン、１，４‐ピペラジンジエタノール、ピペラジン、ヒドロキシエチルピペラジン及びこれらの組み合わせからなる群から選択される項目１５に記載の方法。
（項目１７）
上記水性スラリー溶液は、腐食抑制剤及び消泡剤のうちの少なくとも１つをさらに含む項目１に記載の方法。
（項目１８）
上記腐食抑制剤は、メタバナジン酸ナトリウム及び炭酸銅のうちの少なくとも１つを含む項目１７に記載の方法。
（項目１９）
上記消泡剤は、ポリジメチルシロキサン、疎水性シリカ及びシリコーングリコールのうちの少なくとも１つを含むケイ素化合物ベースの消泡剤を含む項目１７に記載の方法。
（項目２０）
気液接触器は、複数のオペレーティングモジュールを含む項目１に記載の方法。
（項目２１）
等間隔に配置される上記平面形状の複数の液体ジェットのアレイを形成する段階は、約２〜２５ｐｓｉの範囲の液体プレナム圧で上記平面形状の複数の液体ジェットを形成することを含む項目１に記載の方法。
（項目２２）
アレイにおける上記平面形状の複数の液体ジェットのうちの少なくとも１つは、約１ｃｍよりも大きい幅を有する項目１に記載の方法。
（項目２３）
アレイにおける平面形状の複数の液体ジェットのうちの少なくとも１つは、約５〜１５ｃｍの範囲の幅を有する項目１に記載の方法。
（項目２４）
アレイにおける平面形状の複数の液体ジェットのうちの少なくとも１つは、約１０〜２５０μｍの範囲の厚さを有する項目１に記載の方法。
（項目２５）
アレイにおける平面形状の複数の液体ジェットのうちの少なくとも１つは、約５〜３０ｃｍの範囲の長さを有する項目１に記載の方法。
（項目２６）
アレイにおける平面形状の複数の液体ジェットのうちの少なくとも１つは、１５ｍ／秒未満の速度を有する項目１に記載の方法。
（項目２７）
気相分子を隔離する方法であって、
それぞれが水溶液の平面シートを含み、実質的に平行な面内に配置される、基本的に平面形状の複数の液体ジェットを気液接触器内で形成する段階と、
気相分子を含むガスを供給する段階と、
上記気相分子と上記水溶液との間の物質移動相互作用によって、少なくとも一部の上記気相分子を反応させて、反応組成物を形成する段階と、
少なくとも一部の上記反応組成物を鉱化して炭酸塩を形成する段階と、
を備える方法。
（項目２８）
上記気相分子は、二酸化炭素を含む燃焼排ガスを含む項目２７に記載の方法。
（項目２９）
上記水溶液は、ピペラジン及び酸を含む項目２７に記載の方法。
（項目３０）
上記水溶液は、ピペラジン及び塩酸を含む項目２７に記載の方法。
（項目３１）
上記水溶液は、ピペラジン及び塩酸を含み、ピペラジンに対する塩酸のモル比は、約０．５〜２の範囲である項目２７に記載の方法。
（項目３２）
上記鉱化して炭酸塩を形成する段階は、連続プロセス反応器内で、上記反応組成物をケイ酸塩と反応させて、上記炭酸塩を形成することを含む項目２７に記載の方法。
（項目３３）
上記鉱化して炭酸塩を形成する段階は、上記反応組成物をアルカリ性物質と反応させて、炭酸塩を形成することを含む項目２７に記載の方法。
（項目３４）
上記アルカリ性物質は、ケイ酸塩を含む項目３３に記載の方法。
（項目３５）
上記ケイ酸塩は、ケイ酸カルシウム／ケイ酸マグネシウムを含む項目３３に記載の方法。
（項目３６）
上記ケイ酸カルシウム／ケイ酸マグネシウムは、かんらん石、珪灰石及び蛇紋石のうちの少なくとも１つを含む項目３４に記載の方法。
（項目３７）
上記アルカリ性物質は、産業廃棄物アルカリ物質を含む項目３３に記載の方法。
（項目３８）
上記産業廃棄物アルカリ物質は、製鋼スラグ、セメント窯ダスト及びフライアッシュのうちの少なくとも１つを含む項目３７に記載の方法。
（項目３９）
上記水溶液を、再循環フィードバックループを使用して、再生利用する段階をさらに備える項目２７に記載の方法。
（項目４０）
石炭火力発電所の燃焼排ガスから、二酸化炭素気相分子を直接的隔離する方法であって、
それぞれが水性スラリー溶液の平面シートを含み、実質的に平行な面内に配置される、基本的に平面形状の複数の液体ジェットを形成する段階と、
上記二酸化炭素気相分子を含む上記燃焼排ガスを供給する段階と、
上記二酸化炭素気相分子と上記水性スラリー溶液との間の物質移動相互作用によって、少なくとも一部の上記二酸化炭素気相分子を鉱化する段階とを備え、
上記水性スラリー溶液は、Ｃａ（ＯＨ）２及びＭｇ（ＯＨ）２のうちの少なくとも１つを、約５〜１０質量％濃度（ｗ／ｗ）の範囲で含む方法。